(57)【要約】  本発明の実施例は復調用参照信号の構成及びマッピング方法並びにチャネル推定方法及び装置を提供し、そのうち、前記構成方法は、１つの物理リソースブロック対（PRB  pair）において4個の直交周波数分割多重（OFDM）シンボルにより復調用参照信号（DMRS）をキャリーすることを含み、そのうち、前記4個のOFDMシンボルは２組に分けられ、各組は隣接する２つのOFDMシンボルからなり、且つ前記２組のOFDMシンボルの間の距離は5個のOFDMシンボルよりも大きい。本発明の実施例における方法及び装置により、LTEの高いバージョン（Release  12及びそれ以後のバージョン）においてDMRSに基づくチャネル推定のパフォーマンスを向上させることができる。
2016507958.tif 000002
【特許請求の範囲】
【請求項１】
復調用参照信号の構成方法であって、
１つの物理リソースブロック対（PRB  pair)において、4個の直交周波数分割多重（OFDM)シンボルにより復調用参照信号（DMRS)をキャリーすることを含み、
前記4個のOFDMシンボルは２組に分けられ、各組は隣接する２つのOFDMシンボルからなり、且つ前記２組のOFDMシンボルの間の距離は5個のOFDMシンボルよりも大きい、方法。
【請求項２】
請求項1に記載の方法であって、
前記２組のOFDMシンボルの位置は、前記PRB  pairを構成する２つのタイムスロットの境界線に関して対称である、方法。
【請求項３】
請求項2に記載の方法であって、
第１組のOFDMシンボルは、１番目のタイムスロットにおける前の２つのOFDMシンボルであり、第２組のOFDMシンボルは、２番目のタイムスロットにおける後の２つのOFDMシンボルである、方法。
【請求項４】
請求項2に記載の方法であって、
第１組のOFDMシンボルは、１番目のタイムスロットにおける２番目及び３番目のOFDMシンボルであり、第２組のOFDMシンボルは、２番目のタイムスロットにおける５番目及び６番目のOFDMシンボルである、方法。
【請求項５】
請求項1に記載の方法であって、
前記２組のOFDMシンボルの位置は、前記PRB  pairを構成する２つのタイムスロットの境界線に関して非対称である、方法。
【請求項６】
請求項5に記載の方法であって、
第１組のOFDMシンボルは、１番目のタイムスロットにおける２番目及び３番目のOFDMシンボルであり、第２組のOFDMシンボルは、２番目のタイムスロットにおける後の２つのOFDMシンボルである、方法。
【請求項７】
請求項5に記載の方法であって、
第１組のOFDMシンボルは、１番目のタイムスロットにおける３番目及び４番目のOFDMシンボルであり、第２組のOFDMシンボルは、２番目のタイムスロットにおける後の２つのOFDMシンボルである、方法。
【請求項８】
請求項5に記載の方法であって、
第１組のOFDMシンボルは、１番目のタイムスロットにおける４番目及び５番目のOFDMシンボルであり、第２組のOFDMシンボルは、２番目のタイムスロットにおける後の２つのOFDMシンボルである、方法。
【請求項９】
請求項2〜8の何れか１項に記載の方法であって、
１つ又は複数のポートに対応するDMRSは、コード分割により、周波数領域上の１番目、６番目及び１１番目のリソースエレメント（RE)を占め;又は
１つ又は複数のポートに対応するDMRSは、コード分割により、周波数領域上の２番目、７番目及び１２番目のREを占める、方法。
【請求項１０】
復調用参照信号のマッピング方法であって、
請求項1〜9の何れか１項に記載の復調用参照信号の構成方法により、LTEシステムにおけるPRB  pairの復調用参照信号を構成し；及び
【数１】
2016507958.tif 000110
に基づいて、構成された復調用参照信号に対してリソースマッピングを行うことを含み、
そのうち、
【数２】
2016507958.tif 000111
であり、そのうち、αk,l(p)は、時間領域の順番号がlであり、周波数領域の順番号がkであるRE上でキャリーされるポートpの変調シンボルであり、rは、疑似ランダムシーケンスに基づいて生成されたDMRS変調シンボルシーケンスであり、NRBmax,DLは、下りバンド幅においてキャリー可能な最大RB数であり、wp(i)は、直交カバーコードシーケンスであり、NscRBは、各PRB  pairに含まれるサブキャリア数であり、nPRBは、該DMRSが所在するPRB  pairの順番号であり、pは、ポート数であり、l′、k′及びm′は、中間変数であり、且つ、lは、DMRSが所在するREの時間領域の順番号であり、
【数３】
2016507958.tif 000112
又は
【数４】
2016507958.tif 000113
又は
【数５】
2016507958.tif 000114
又は
【数６】
2016507958.tif 000115
又は
【数７】
2016507958.tif 000116
である、方法。
【請求項１１】
復調用参照信号の構成方法であって、
各PRB  pairにおいてｎ組のDMRSを構成することを含み、
そのうち、ｎは６よりも小さく、各組のDMRSはDMRSをキャリーする２つのREからなり、前記DMRSをキャリーする２つのREは、同一サブキャリアに位置し、且つ隣接する２つのOFDMシンボルを占める、方法。
【請求項１２】
請求項11に記載の方法であって、
１つ又は複数のポートに対応するDMRSは、コード分割により、周波数領域上の１番目、６番目及び/又は第１１番目のリソースエレメント（RE)を占め;又は
１つ又は複数のポートに対応するDMRSは、コード分割により、周波数領域上の２番目、７番目及び/又は１２番目のREを占める、方法。
【請求項１３】
請求項12に記載の方法であって、
各PRB  pairにおいて４組のDMRSを構成する場合、前記方法は、
前記４組のDMRSの時間領域上の密度及び位置を保ったまま、前記４組のDMRSを、周波数領域上の３組の位置のうちの任意の２組の位置に構成することを含む、方法。
【請求項１４】
請求項12に記載の方法であって、
各PRB  pairにおいて４組のDMRSを構成する場合、前記方法は、
前記４組のDMRSの時間領域上の密度及び位置を保ったまま、前記４組のDMRSのうちの２組のDMRSを、周波数領域上の３組の位置のうちの中間の１組の位置に構成し、前記４組のDMRSのうちの他の２組を、それぞれ周波数領域上の３組の位置のうちの第１組及び第３組の位置に構成し、且つ第１組の位置に構成されるDMRSと、第３組の位置に構成されるDMRSとが、前記PRB  pairの異なるタイムスロットに位置するように構成することを含む、方法。
【請求項１５】
請求項12に記載の方法であって、
各PRB  pairにおいて３組のDMRSを構成する場合、前記方法は、
前記３組のDMRSの時間領域上の密度及び位置を保ったまま、前記３組のDMRSを、それぞれ周波数領域上の３組の位置に構成し、且つ周波数領域上の第１組の位置に構成されるDMRSと、周波数領域上の第３組の位置に構成されるDMRSとが、前記PRB  pairの同じタイムスロットに位置するように構成し、周波数領域上の第２組の位置に構成されるDMRSと、周波数領域上の第１組及び第３組の位置に構成されるDMRSとが、前記PRB  pairの異なるタイムスロットに位置するように構成することを含む、方法。
【請求項１６】
請求項11〜15の何れか１項に記載の方法であって、
１つのPRB  pairにおいて、4個の直交周波数分割多重（OFDM)シンボルにより復調用参照信号（DMRS)をキャリーし、そのうち、前記4個のOFDMシンボルは２組に分かられ、各組は隣接する２つのOFDMシンボルからなる、方法。
【請求項１７】
復調用参照信号のマッピング方法であって、
請求項11〜16の何れか１項に記載の復調用参照信号の構成方法により、LTEシステムにおけるPRB  pairの復調用参照信号を構成し；及び
【数８】
2016507958.tif 000117
に基づいて、構成された復調用参照信号に対してリソースマッピングを行うことを含み、
そのうち、αk,l(p)は、時間領域の順番号がlであり、周波数領域の順番号がkであるRE上でキャリーされるポートpの変調シンボルであり、rは、疑似ランダムシーケンスに基づいて生成されたDMRS変調シンボルシーケンスであり、NRBmax,DLは、下りバンド幅においてキャリー可能な最大RB数であり、wp(i)は、直交カバーコードシーケンスであり、NscRBは、各PRB  pairに含まれるサブキャリア数であり、nPRBは、該DMRSが所在するPRB  pairの順番号であり、pは、ポート数であり、l′、k′及びm′は、中間変数であり、
そのうち、
m′=0,l、又は、m′=1,2、又は、m′=0,2、又は
【数９】
2016507958.tif 000118
又は
【数１０】
2016507958.tif 000119
又は
【数１１】
2016507958.tif 000120
又は
【数１２】
2016507958.tif 000121
又は
【数１３】
2016507958.tif 000122
又は
【数１４】
2016507958.tif 000123
又は
【数１５】
2016507958.tif 000124
又は
【数１６】
2016507958.tif 000125
又は
【数１７】
2016507958.tif 000126
又は
【数１８】
2016507958.tif 000127
である、方法
【請求項１８】
復調用参照信号を構成するための基地局であって、
１つのPRB  pairにおいて、4個の直交周波数分割多重（OFDM)シンボルにより復調用参照信号（DMRS)をキャリーするように構成するための構成ユニットを含み、
前記4個のOFDMシンボルは２組に分けられ、各組は隣接する２つのOFDMシンボルからなり、且つ前記２組のOFDMシンボルの間の距離は、5個のOFDMシンボルよりも大きい、基地局。
【請求項１９】
請求項18に記載の基地局であって、
前記２組のOFDMシンボルの位置は、前記PRB  pairを構成する２つのタイムスロットの境界線に関して対称である、基地局。
【請求項２０】
請求項19に記載の基地局であって、
第１組のOFDMシンボルは、１番目のタイムスロットにおける前の２つのOFDMシンボルであり、第２組のOFDMシンボルは、２番目のタイムスロットにおける後の２つのOFDMシンボルである、基地局。
【請求項２１】
請求項19に記載の基地局であって、
第１組のOFDMシンボルは、１番目のタイムスロットにおける２番目及び３番目のOFDMシンボルであり、第２組のOFDMシンボルは、２番目のタイムスロットにおける５番目及び６番目のOFDMシンボルである、基地局。
【請求項２２】
請求項18に記載の基地局であって、
前記２組のOFDMシンボルの位置は、前記PRB  pairを構成する２つのタイムスロットの境界線に関して非対称である、基地局。
【請求項２３】
請求項22に記載の基地局であって、
第１組のOFDMシンボルは、１番目のタイムスロットにおける２番目及び３番目のOFDMシンボルであり、第２組のOFDMシンボルは、２番目のタイムスロットにおける後の２つのOFDMシンボルである、基地局。
【請求項２４】
請求項22に記載の基地局であって、
第１組のOFDMシンボルは、１番目のタイムスロットにおける３番目及び４番目のOFDMシンボルであり、第２組のOFDMシンボルは、２番目のタイムスロットにおける後の２つのOFDMシンボルである、基地局。
【請求項２５】
請求項22に記載の基地局であって、
第１組のOFDMシンボルは、１番目のタイムスロットにおける４番目及び５番目のOFDMシンボルであり、第２組のOFDMシンボルは、２番目のタイムスロットにおける後の２つのOFDMシンボルである、基地局。
【請求項２６】
請求項18〜25の何れか１項に記載の基地局であって、
１つ又は複数のポートに対応するDMRSは、コード分割により、周波数領域上の１番目、６番目及び１１番目のリソースエレメント（RE)を占め;又は
１つ又は複数のポートに対応するDMRSは、コード分割により、周波数領域上の２番目、７番目及び１２番目のREを占める、基地局。
【請求項２７】
復調用参照信号のマッピングを行うための基地局でって
請求項1〜9の何れか１項に記載の復調用参照信号の構成方法により、LTEシステムにおけるPRB  pairの復調用参照信号を構成するための構成ユニット；及び
【数１９】
2016507958.tif 000128
に基づいて、構成された復調用参照信号に対してリソースマッピングを行うためのマッピングユニットを含み、
そのうち、αk,l(p)は、時間領域の順番号がlであり、周波数領域の順番号がkであるRE上でキャリーされるポートpの変調シンボルであり、rは、疑似ランダムシーケンスに基づいて生成されたDMRS変調シンボルシーケンス（具体的な生成方法は、TS36.211の6.10.3.1を参照する。)であり、NRBmax,DLは、下りバンド幅においてキャリー可能な最大RB数（LTEシステムでは、その値は110であり、TS36.211の6.2.1を参照する。)であり、wp(i)は、直交カバーコードシーケンスであり、NscRBは、各PRB  pairに含まれるサブキャリア数であり、nPRBは、該DMRSが所在するPRB  pairの順番号であり、pは、ポート数であり、l′、k′及びm′は、中間変数であり、且つ、lは、DMRSが所在するREの時間領域の順番号であり、
【数２０】
2016507958.tif 000129
又は
【数２１】
2016507958.tif 000130
又は
【数２２】
2016507958.tif 000131
又は
【数２３】
2016507958.tif 000132
又は
【数２４】
2016507958.tif 000133
である、基地局。
【請求項２８】
復調用参照信号を構成するための基地局であって、
各PRB  pairにおいてｎ組のDMRSを構成するための構成ユニットを含み、
そのうち、ｎは６を超えず、各組のDMRSはDMRSをキャリーする２つのREからなり、前記DMRSをキャリーする２つのREは、同一サブキャリアに位置し、且つ隣接する２つのOFDMシンボルを占める、基地局。
【請求項２９】
請求項28に記載の基地局であって、
１つ又は複数のポートに対応するDMRSは、コード分割により、周波数領域上の１番目、６番目及び/又は第１１番目のリソースエレメント（RE)を占め;又は
１つ又は複数のポートに対応するDMRSは、コード分割により、周波数領域上の２番目、７番目及び/又は１２番目のREを占める、基地局。
【請求項３０】
請求項28に記載の基地局であって、
各PRB  pairにおいて４組のDMRSを構成する場合、前記構成ユニットは、具体的に、
前記４組のDMRSの時間領域上の密度及び位置を保ったまま、前記４組のDMRSを、周波数領域上の３組の位置のうちの任意の２組の位置に構成するために用いられる、基地局。
【請求項３１】
請求項28に記載の基地局であって、
各PRB  pairにおいて４組のDMRSを構成する場合、前記構成ユニットは、具体的に、
前記４組のDMRSの時間領域上の密度及び位置を保ったまま、前記４組のDMRSのうちの２組のDMRSを、周波数領域上の３組の位置のうちの中間の１組の位置に構成し、前記４組のDMRSのうちの他の２組を、それぞれ周波数領域上の３組の位置のうちの第１組及び第３組の位置に構成し、且つ第１組の位置に構成されるDMRSと、第３組の位置に構成されるDMRSとが、前記PRB  pairの異なるタイムスロットに位置するように構成するために用いられる、基地局。
【請求項３２】
請求項28に記載の基地局であって、
各PRB  pairにおいて３組のDMRSを構成する場合、前記構成ユニットは、具体的に、
前記３組のDMRSの時間領域上の密度及び位置を保ったまま、前記３組のDMRSを、それぞれ周波数領域上の３組の位置に構成し、且つ周波数領域上の第１組の位置に構成されるDMRSと、周波数領域上の第３組の位置に構成されるDMRSとが、前記PRB  pairの同じタイムスロットに位置するように構成し、周波数領域上の第２組の位置に構成されるDMRSと、周波数領域上の第１組及び第３組の位置に構成されるDMRSとが、前記PRB  pairの異なるタイムスロットに位置するように構成するために用いられる、基地局。
【請求項３３】
請求項28〜32の何れか１項に記載の基地局であって、
１つのPRB  pairにおいて、4個の直交周波数分割多重（OFDM)シンボルにより復調用参照信号（DMRS)をキャリーし、
前記4個のOFDMシンボルは２組に分けられ、各組は隣接する２つのOFDMシンボルからなる、基地局。
【請求項３４】
復調用参照信号のマッピングを行うための基地局であって、
請求項11〜16の何れか１項に記載の復調用参照信号の構成方法により、LTEシステムにおけるPRB  pairの復調用参照信号を構成するための構成ユニット；及び
【数２５】
2016507958.tif 000134
に基づいて、構成された復調用参照信号に対してリソースマッピングを行うためのマッピングユニットを含み、
そのうち、αk,l(p)は、時間領域の順番号がlであり、周波数領域の順番号がkであるRE上でキャリーされるポートpの変調シンボルであり、rは、疑似ランダムシーケンスに基づいて生成されたDMRS変調シンボルシーケンス（具体的な生成方法は、TS36.211の6.10.3.1を参照する。)であり、NRBmax,DLは、下りバンド幅においてキャリー可能な最大RB数（LTEシステムでは、その値は110であり、TS36.211の6.2.1を参照する。)であり、wp(i)は、直交カバーコードシーケンスであり、NscRBは、各PRB  pairに含まれているサブキャリア数であり、nPRBは、該DMRSが所在するPRB  pairの順番号であり、pは、ポート数であり、l′、k′及びm′は、中間変数であり、
そのうち、
m′=0,l、又は、m′=1,2、又は、m′=0,2、又は
【数２６】
2016507958.tif 000135
又は
【数２７】
2016507958.tif 000136
又は
【数２８】
2016507958.tif 000137
又は
【数２９】
2016507958.tif 000138
又は
【数３０】
2016507958.tif 000139
又は
【数３１】
2016507958.tif 000140
又は
【数３２】
2016507958.tif 000141
又は
【数３３】
2016507958.tif 000142
又は
【数３４】
2016507958.tif 000143
又は
【数３５】
2016507958.tif 000144
である、基地局。
【請求項３５】
チャネル推定方法であって、
請求項1〜9及び11〜16の何れか１項に記載の方法により構成されたDMRSの位置に基づいて、受信信号からDMRSを抽出し;
基地局がDMRSに対して行った構成に基づいて、DMRSシーケンスを生成し；及び
抽出されたDMRS及び生成されたDMRSシーケンスに基づいて、前記受信信号が伝送中において経たチャネルに対してチャネル推定を行うことを含む、方法。
【請求項３６】
ユーザ装置（UE)であって、
請求項1〜9及び11〜16の何れか１項に記載の方法により構成されたDMRSの位置に基づいて、受信信号からDMRSを抽出するための抽出ユニット;
基地局がDMRSに対して行った構成に基づいて、DMRSシーケンスを生成するための生成ユニット；及び
抽出されたDMRS及び生成されたDMRSシーケンスに基づいて、前記受信信号が伝送中において経たチャネルに対してチャネル推定を行うためのチャネル推定ユニットを含む、ユーザ装置。
【請求項３７】
請求項18〜34の何れか１項に記載の基地局及び請求項36に記載のユーザ装置を含む、通信システム。
【請求項３８】
コンピュータ読み取り可能なプログラムであって、
基地局中で該プログラムを実行する時に、該プログラムは、コンピュータに、前記基地局中で請求項1〜9及び11〜16の何れか１項に記載の復調用参照信号の構成方法又は請求項10又は17に記載の復調用参照信号のマッピング方法を実行させるためのプログラム。
【請求項３９】
コンピュータ読み取り可能なプログラムを記憶した記憶媒体であって、
該コンピュータ読み取り可能なプログラムは、コンピュータに、基地局中で請求項1〜9及び11〜16の何れか１項に記載の復調用参照信号の構成方法又は請求項10又は17に記載の復調用参照信号のマッピング方法を実行させる、記憶媒体。
【請求項４０】
コンピュータ読み取り可能なプログラムであって、
端末装置中で該プログラムを実行する時に、該プログラムは、コンピュータに、前記端末装置中で請求項35に記載のチャネル推定方法を実行させるための、プログラム。
【請求項４１】
コンピュータ読み取り可能なプログラムを記憶した記憶媒体であって、
該コンピュータ読み取り可能なプログラムは、コンピュータに、端末装置中で請求項35に記載のチャネル推定方法を実行させる、記憶媒体。
【発明の詳細な説明】
【技術分野】
【０００１】
本発明は、通信分野に関し、特に、復調用参照信号の構成、マッピング方法、チャネル推定方法及び装置に関する。
【背景技術】
【０００２】
LTE(Long  Term  Evolution）Release  8〜Release  11のバージョンでは、各下りサブフレームが、UE(User  Equipment；ユーザ装置；ユーザとも称される。）の自分の下りサブフレーム内のスケジューリング又はそれ相応の上りサブフレームのスケジューリングを指示し、及び上り送信パワーを構成し、SPS(Semi-Persistent  Scheduling、セミパーシステントスケジューリング）伝送をアクティブにする又はリリースするためのPDCCH(Physical  Downlink  Control  Channel、物理下り制御チャネル）チャネルをキャリー（Carry）することができる。PDCCHチャネルは、１つのサブフレームの前の1ないし4個のシンボルにおいて伝送を行い、具体的に占めるシンボル数は、システムバンド幅及び１つのサブフレーム内にスケジューリングされるユーザ数などにより決定される。PDSCH(Physical  Downlink  Shared  Channel、物理下り共用チャネル）チャネルとは異なり、PDCCHチャネルの伝送リソースは、RB(Resource  Block、リソースブロック）を以て区分されず、１つのPDCCH伝送単位は、インターリーバー（Interleaver）により全てのPDCCH伝送領域（PDCCH  region)内に散布されている。PDCCHチャネルは、通常、セル固有パイロット（CRS；Cell-specific  Reference  Signal；セル固有参照信号）を復調用参照信号とする。
【０００３】
PDSCHチャネルは、上位層シグナリング又はユーザデータをキャリーするために用いられ、Release  ９以降のバージョンでは、TM8及びTM9モードで伝送されるPDSCHチャネルは、DMRS(Demodulation  Reference  Signal、復調用参照信号）パイロットを復調用参照信号とする。従来では、TDD(Time  Division  Duplexing；時分割二重方式）伝送モード下で特殊サブフレームのタイプ1、2、3、4、6、7、8以外の他のサブフレームの汎用DMRSパイロットの、１つのPRB  pairにおける分布が図1に示され、そのうち、網状グリッド（格子）の部分のOFDM(Orthogonal  Frequency  Division  Multiplexing；直交周波数分割多重）シンボルは、可能なPDCCH伝送領域であり、他のOFDMシンボルは、PDSCHのOFDMシンボルをキャリーするために用いられる。このような場合、従来のパイロット図様は、PDSCH伝送領域の比較的中間の位置に位置する。従来のパイロット図様のパイロットを基にチャネル推定を行う場合、推定結果の誤差が比較的小さい。
【０００４】
LTEの新いバージョン――Release  12では、間もなく新たなキャリアタイプ（NCT、New  Carrier  Type)が導入される。NCTキャリア上では、PDCCHがePDCCH(enhanced  PDCCH；強化されるPDCCH)に取って代わる。ePDCCHの伝送方法は、PDSCHに類似し、その伝送リソースがPRB  pairにより区分される。NCTにはlegacy  PDCCH(従来のPDCCH)が採用されないため、各PRB  pairにおいてPDSCH又はePDCCHをキャリーするためのリソースは、１番目のOFDMシンボルから始まる。NCTの各PRB  pairにおける全ての、データをキャリーするRE(Resource  Element、リソースエレメント)はすべてDMRSに基づいて復調される必要がある。このような場合、従来のパイロット図様（図1に示すDMRS図様）がPRB  pair全体において右寄りの位置に位置し、これにより、PRB  pairにおける前の幾つかのOFDMシンボルのチャネル推定の品質が低下してしまうことを来すおそれがあり、さらに、後続の復調及び復号（デコーディング）の信頼性に影響を与えてしまう。
【０００５】
図2に示すのは、移動速度が30キロメートル毎時で、SNR(Signal  to  Noise  Ratio；信号対雑音比）が20dBで、受送信アンテナが2*2で、Rank(ランク）が2であるときにおけるETU(Extended  Typical  Urban  model；拡張典型的都市モデル）チャネルモデルの、１つのPRB  pairにおけるチャネル推定の誤差が、OFDMシンボルの順番号に伴って変化する曲線図である。図2から分かるように、誤差は時間領域に沿って変化が比較的大きく、他のOFDMシンボルに比べて、最も左側の3個のOFDMシンボル上でのチャネル推定の誤差は明らかに大きくなっている。
【０００６】
なお、上述の背景技術についての紹介は、本発明の技術案を明確且つ完全に説明し、当業者がそれを理解しやすいためのものである。これらの案は、本発明の背景技術の部分に記述されているため、当業者にとって周知であると解釈すべきではない。
【発明の概要】
【発明が解決しようとする課題】
【０００７】
本発明の実施例の目的は、LTEの高いバージョン(Release12及びそれ以降のバージョン)においてDMRSに基づくチャネル推定のパフォーマンスを向上させるためのDMRSの構成、マッピング方法、チャネル推定方法及び装置を提供することにある。
【課題を解決するための手段】
【０００８】
本発明の実施例の第１側面によれば、復調用参照信号の構成方法が提供され、そのうち、前記方法は、
１つの物理リソースブロック対（PRB  pair)において、4個の直交周波数分割多重（OFDM)シンボルにより復調用参照信号（DMRS)をキャリーすることを含み、
そのうち、前記4個のOFDMシンボルは２組に分けられ、各組は隣接する２つのOFDMシンボルからなり、且つ前記２組のOFDMシンボルの間の距離は5個のOFDMシンボルよりも大きい。
【０００９】
本発明の実施例の第２側面によれば、復調用参照信号のマッピング方法が提供され、そのうち、前記方法は、
第１側面に記載の復調用参照信号の構成方法に基づいてLTEシステムにおけるPRB  pairの復調用参照信号を構成し；及び
【数１】
2016507958.tif 000003
に基づいて、構成された復調用参照信号に対してリソースマッピングを行うことを含み、
そのうち、
【数２】
2016507958.tif 000004
であり、
そのうち、αk,l(p)は、時間領域の順番号がlであり、周波数領域の順番号がkであるRE上でキャリーされるポートpの変調シンボル（即ち、変調されたシンボル）であり、rは、疑似ランダムシーケンスに基づいて生成されたDMRS変調シンボルシーケンスであり、NRBmax,DLは、下りバンド幅においてキャリー可能な最大RB数であり、wp(i)は、直交カバーコードシーケンス（orthogonal  cover  code  sequence）であり、NscRBは、各PRB  pairに含まれるサブキャリア数であり、nPRBは、該DMRSが所在するPRB  pairの順番号であり、pは、ポート数であり、l′、k′及びm′は、中間変数であり、且つ、lは、DMRSが所在するREの時間領域の順番号であり、
【数３】
2016507958.tif 000005
又は
【数４】
2016507958.tif 000006
又は
【数５】
2016507958.tif 000007
又は
【数６】
2016507958.tif 000008
又は
【数７】
2016507958.tif 000009
である。
【００１０】
本発明の実施例の第３側面によれば、復調用参照信号の構成方法が提供され、そのうち、前記方法は、
各PRB  pairにおいてn組のDMRS（nは６よりも小さい。）を構成することを含み、
そのうち、各組のDMRSは、DMRSをキャリーする２つのREからなり、前記DMRSをキャリーする２つのREは、同一サブキャリアに位置し、且つ隣接する２つのOFDMシンボルを占める。
【００１１】
本発明の実施例の第４側面によれば、復調用参照信号のマッピング方法が提供され、そのうち、前記方法は、
第３側面に記載の復調用参照信号の構成方法により、LTEシステムにおけるPRB  pairの復調用参照信号を構成し；及び
【数８】
2016507958.tif 000010
に基づいて、構成された復調用参照信号に対してリソースマッピングを行うことを含み、
そのうち、αk,l(p)は、時間領域の順番号がlであり、周波数領域の順番号がkであるRE上でキャリーされるポートpの変調シンボルであり、rは、疑似ランダムシーケンスに基づいて生成されたDMRS変調シンボルシーケンスであり、NRBmax,DLは、下りバンド幅においてキャリー可能な最大RB数であり、wp(i)は、直交カバーコードシーケンスであり、NscRBは、各PRB  pairに含まれるサブキャリア数であり、nPRBは、該DMRSが所在するPRB  pairの順番号であり、pは、ポート数であり、l′、k′及びm′は、中間変数であり、
そのうち、
m′=0,lであり、又は、m′=1,2であり、又は、m′=0,2であり、又は
【数９】
2016507958.tif 000011
又は
【数１０】
2016507958.tif 000012
又は
【数１１】
2016507958.tif 000013
又は
【数１２】
2016507958.tif 000014
又は
【数１３】
2016507958.tif 000015
又は
【数１４】
2016507958.tif 000016
又は
【数１５】
2016507958.tif 000017
又は
【数１６】
2016507958.tif 000018
又は
【数１７】
2016507958.tif 000019
又は
【数１８】
2016507958.tif 000020
である。
【００１２】
本発明の実施例の第５側面によれば、復調用参照信号を構成するための基地局が提供され、そのうち、前記基地局は、
１つのPRB  pairにおいて、4個の直交周波数分割多重（OFDM)シンボルにより復調用参照信号（DMRS)をキャリーするように構成するための構成ユニットを含み、
そのうち、前記4個のOFDMシンボルは２組に分けられ、各組は隣接する２つのOFDMシンボルからなり、且つ、前記２組のOFDMシンボルの間の距離は、5個のOFDMシンボルよりも大きい。
【００１３】
本発明の実施例の第６側面によれば、復調用参照信号のマッピングを行うための基地局が提供され、そのうち、前記基地局は、
第１側面に記載の復調用参照信号の構成方法により、LTEシステムにおけるPRB  pairの復調用参照信号を構成するための構成ユニット；及び
【数１９】
2016507958.tif 000021
に基づいて、構成された復調用参照信号に対してリソースマッピングを行うためのマッピングユニットを含み、
そのうち、αk,l(p)は、時間領域の順番号がlであり、周波数領域の順番号がkであるRE上でキャリーされるポートpの変調シンボルであり、rは、疑似ランダムシーケンスに基づいて生成されたDMRS変調シンボルシーケンス（具体的な生成方法については、TS36.211の6.10.3.1を参照する。)であり、NRBmax,DLは、下りバンド幅においてキャリー可能な最大RB数（LTEシステムでは、その値が110であり、具体的には、TS36.211の6.2.1を参照する。)であり、wp(i)は、直交カバーコードシーケンスであり、NscRBは、各PRB  pairに含まれるサブキャリア数であり、nPRBは、該DMRSが所在するPRB  pairの順番号であり、pは、ポート数であり、l′、k′及びm′は、中間変数であり、且つ、lは、DMRSが所在するREの時間領域の順番号であり、
【数２０】
2016507958.tif 000022
又は
【数２１】
2016507958.tif 000023
又は
【数２２】
2016507958.tif 000024
又は
【数２３】
2016507958.tif 000025
又は
【数２４】
2016507958.tif 000026
である。
【００１４】
本発明の実施例の第７側面によれば、復調用参照信号を構成するための基地局が提供され、そのうち、前記基地局は、
各PRB  pairにおいて、n組のDMRS（nは６よりも小さい。）を構成するための構成ユニットを含み、
そのうち、各組のDMRSは、DMRSをキャリーする２つのREからなり、前記DMRSをキャリーする２つのREは、同一サブキャリアに位置し、且つ隣接する２つのOFDMシンボルを占める。
【００１５】
本発明の実施例の第８側面によれば、復調用参照信号のマッピングを行うための基地局が提供され、前記基地局は、
第３側面に記載の復調用参照信号の構成方法により、LTEシステムにおけるPRB  pairの復調用参照信号を構成するための構成ユニット；及び
【数２５】
2016507958.tif 000027
に基づいて、構成された復調用参照信号に対してリソースマッピングを行うためのマッピングユニットを含み、
そのうち、αk,l(p)は、時間領域の順番号がlであり、周波数領域の順番号がkであるRE上でキャリーされるポートpの変調シンボルであり、rは、疑似ランダムシーケンスに基づいて生成されたDMRS変調シンボルシーケンス（具体的な生成方法については、TS36.211の6.10.3.1を参照する。）であり、NRBmax,DLは、下りバンド幅においてキャリー可能な最大RB数（LTEシステムでは、その値が110であり、具体的には、TS36.211の6.2.1を参照する。）であり、wp(i)は、直交カバーコードシーケンスであり、NscRBは、各PRB  pairに含まれるサブキャリア数であり、nPRBは、該DMRSが所在するPRB  pairの順番号であり、pは、ポート数であり、l′、k′及びm′は、中間変数であり、
そのうち、
m′=0,lであり、又は、m′=1,2であり、又は、m′=0,2であり、又は
【数２６】
2016507958.tif 000028
又は
【数２７】
2016507958.tif 000029
又は
【数２８】
2016507958.tif 000030
又は
【数２９】
2016507958.tif 000031
又は
【数３０】
2016507958.tif 000032
又は
【数３１】
2016507958.tif 000033
又は
【数３２】
2016507958.tif 000034
又は
【数３３】
2016507958.tif 000035
又は
【数３４】
2016507958.tif 000036
又は
【数３５】
2016507958.tif 000037
である。
【００１６】
本発明の実施例の第９側面によれば、チャネル推定方法が提供され、そのうち、前記方法は、
第１側面又は第３側面に記載の方法により構成されたDMRSの位置に基づいて、受信信号からDMRSを抽出し;
基地局がDMRSに対して行った構成に基づいてDMRSシーケンスを生成し；及び
抽出されたDMRS及び生成されたDMRSシーケンスに基づいて、前記受信信号が伝送中において経たチャネルに対してチャネル推定を行うことを含む。
【００１７】
本発明の実施例の第１０側面によれば、ユーザ装置（UE)が提供され、そのうち、前記UEは、
第１側面又は第３側面に記載の方法により構成されたDMRSの位置に基づいて、受信信号からDMRSを抽出するための抽出ユニット;
基地局がDMRSに対して行った構成に基づいて、DMRSシーケンスを生成するための生成ユニット；及び
抽出されたDMRS及び生成されたDMRSシーケンスに基づいて、前記受信信号が伝送中において経たチャネルに対してチャネル推定を行うためのチャネル推定ユニットを含む。
【００１８】
本発明の実施例の第１１側面によれば、通信システムが提供され、前記通信システムは、
第５側面又は第６側面又は第７側面又は第８側面に記載の基地局、及び第１０側面に記載のユーザ装置を含む。
【００１９】
本発明の実施例は更に、コンピュータ読み取り可能なプログラムを提供し、そのうち、基地局中で該プログラムを実行する時に、該プログラムは、コンピュータに、前記基地局中で第１側面又は第３側面に記載の復調用参照信号の構成方法を実行させ、又は第２側面又は第４側面に記載の復調用参照信号のマッピング方法を実行させる。
【００２０】
本発明の実施例は更に、コンピュータ読み取り可能なプログラムを記憶した記憶媒体を提供し、そのうち、該コンピュータ読み取り可能なプログラムは、コンピュータに、基地局中で第１側面又は第３側面前記に記載の復調用参照信号の構成方法を実行させ、又は第２側面又は第４側面に記載の復調用参照信号のマッピング方法を実行させる。
【００２１】
本発明の実施例は更に、コンピュータ読み取り可能なプログラムを提供し、そのうち、端末装置中で該プログラムを実行する時に、該プログラムは、コンピュータに、前記端末装置中で第９側面に記載のチャネル推定方法を実行させる。
【００２２】
本発明の実施例は更に、コンピュータ読み取り可能なプログラムを記憶した記憶媒体を提供し、そのうち、該コンピュータ読み取り可能なプログラムは、コンピュータに、端末装置中で第９側面に記載のチャネル推定方法を実行させる。
【００２３】
本発明の実施例の有益な効果は、本発明の実施例における方法及び装置により、LTEの高いバージョン(Release  12及びそれ以後のバージョン)においてDMRSに基づくチャネル推定のパフォーマンスを向上させることができるということにある。
【００２４】
後述の説明及び図面を参照することで、本発明の特定の実施方式が詳しく開示されており、本発明の原理を採用し得る態様が示されている。なお、本発明の実施方式は、範囲上ではこれらに限定されない。添付した特許請求の範囲内であれば、本発明の実施方式は、様々な変更、修正及び代替によるものを含んでも良い。
【００２５】
また、１つの実施方式について説明した及び／又は示した特徴は、同じ又は類似する方式で１つ又は複数の他の実施方式に用い、他の実施方式中の特徴と組み合わせ、又は他の実施方式中の特徴を置換することができる。
【００２６】
なお、「含む／有する」のような用語は、本明細書に使用される時に、特徴、要素、ステップ、又はアセンブルの存在を指すが、１つ又は複数の他の特徴、要素、ステップ、又はアセンブリの存在又は付加を排除しないということも指す。
【図面の簡単な説明】
【００２７】
以下の図面を参照することで、本発明の多くの側面をより良く理解することができる。図面中の部品は、比例して描いたものではなく、本発明の原理を示すためのものである。また、本発明の一部を便利に示す及び説明するために、図面中の対応する部分を拡大又は縮小することもある。本発明の１つの図面又は１つの実施方式に説明した要素及び特徴は、１つ又は複数の他の図面又は実施方式に示した要素及び特徴と組み合わせても良い。また、図面では、類似する符号が幾つかの図面中の対応する部品を示し、また、複数の実施方式に用いられる対応する部品を示しても良い。
【図１】１つのPRB  pairにおける従来のDMRSの分布を示す図である。
【図２】１つのPRB  pairにおけるチャネル推定の誤差がOFDMシンボルの順番号に伴って変化する曲線図である。
【図３】本発明の実施例1における復調用参照信号の構成方法のフローチャートである。
【図４Ａ】実施例1の方法により構成されたDMRSの分布を示す図である。
【図４Ｂ】実施例1の方法により構成されたDMRSの分布を示す図である。
【図４Ｃ】実施例1の方法により構成されたDMRSの分布を示す図である。
【図４Ｄ】実施例1の方法により構成されたDMRSの分布を示す図である。
【図４Ｅ】実施例1の方法により構成されたDMRSの分布を示す図である。
【図５】図4Cに示すDMRS及び図1に示すDMRSのシミュレーション結果を示す図である。
【図６】本発明の実施例2における復調用参照信号のマッピング方法のフローチャートである。
【図７】本発明の実施例3における復調用参照信号の構成方法のフローチャートである。
【図８】図1のDMRS分布に対応する図様の位置を示す図である。
【図９Ａ】実施例4の方法により構成されたDMRSであって、周波数領域位置が同じである任意の２組のDMRSが取り除かれた後のDMRSの分布を示す図である。
【図９Ｂ】実施例4の方法により構成されたDMRSであって、周波数領域位置が同じである任意の２組のDMRSが取り除かれた後のDMRSの分布を示す図である。
【図９Ｃ】実施例4の方法により構成されたDMRSであって、周波数領域位置が同じである任意の２組のDMRSが取り除かれた後のDMRSの分布を示す図である。
【図９Ｄ】実施例4の方法により構成されたDMRSであって、周波数領域位置が同じである任意の２組のDMRSが取り除かれた後のDMRSの分布を示す図である。
【図９Ｅ】実施例4の方法により構成されたDMRSであって、周波数領域位置が同じである任意の２組のDMRSが取り除かれた後のDMRSの分布を示す図である。
【図１０Ａ】実施例4の方法により構成されたDMRSであって、対角線の最も外側の２組のDMRSが取り除かれた後のDMRSの分布を示す図である。
【図１０Ｂ】実施例4の方法により構成されたDMRSであって、対角線の最も外側の２組のDMRSが取り除かれた後のDMRSの分布を示す図である。
【図１０Ｃ】実施例4の方法により構成されたDMRSであって、対角線の最も外側の２組のDMRSが取り除かれた後のDMRSの分布を示す図である。
【図１０Ｄ】実施例4の方法により構成されたDMRSであって、対角線の最も外側の２組のDMRSが取り除かれた後のDMRSの分布を示す図である。
【図１１Ａ】実施例4の方法により構成されたDMRSであって、３組のDMRSがジグザグ（zigzag）に取り除かれた後のDMRSの分布を示す図である。
【図１１Ｂ】実施例4の方法により構成されたDMRSであって、３組のDMRSがジグザグに取り除かれた後のDMRSの分布を示す図である。
【図１１Ｃ】実施例4の方法により構成されたDMRSであって、３組のDMRSがジグザグに取り除かれた後のDMRSの分布を示す図である。
【図１１Ｄ】実施例4の方法により構成されたDMRSであって、３組のDMRSがジグザグに取り除かれた後のDMRSの分布を示す図である。
【図１２Ａ】本発明のもう１つの実施例において周波数領域の密度を下げることにより構成されたDMRSの分布を示す図である。
【図１２Ｂ】本発明のもう１つの実施例において周波数領域の密度を下げることにより構成されたDMRSの分布を示す図である。
【図１２Ｃ】本発明のもう１つの実施例において周波数領域の密度を下げることにより構成されたDMRSの分布を示す図である。
【図１２Ｄ】本発明のもう１つの実施例において周波数領域の密度を下げることにより構成されたDMRSの分布を示す図である。
【図１３】ＡおよびＢは、本発明のもう１つの実施例において時間領域の密度を下げることにより構成されたDMRSの分布を示す図である。
【図１４】本発明の実施例4における復調用参照信号のマッピング方法のフローチャートである。
【図１５】本発明の実施例5における基地局の構成を示す図である。
【図１６】本発明の実施例6における基地局の構成を示す図である。
【図１７】本発明の実施例7における基地局の構成を示す図である。
【図１８】本発明の実施例8における基地局の構成を示す図である。
【図１９】本発明の実施例におけるチャネル推定方法のフローチャートである。
【図２０】本発明の実施例におけるユーザ装置の構成を示す図である。
【発明を実施するための形態】
【００２８】
図面の参照及び以下の説明により、本発明の実施例の上述及び他の特徴が明確になる。なお、これらの実施方式は、例示にすぎず、本発明を限定するものではない。当業者が本発明の原理及び実施方式を容易に理解し得るために、本発明の実施方式では、新型キャリアが導入された後のRelease  l2におけるDMRSの構成及びマッピングを例として説明を行っているが、理解すべきは、本発明の実施例が上述のバージョンにおけるDMRSの構成及びマッピングに限定されず、また、パイロットがDMRSである構成及びマッピングにも限定されず、パイロットの構成及びマッピングに関する他のシステム及び他のパイロットにすべて適用され得るということである。
【実施例１】
【００２９】
本発明の実施例は、復調用参照信号の構成方法を提供する。図3は、該方法のフローチャートであり、図3に示すように、該方法は、下記のステップを含む。
【００３０】
ステップ301:１つの物理リソースブロック対（PRB  pair)において、4個の直交周波数分割多重（OFDM)シンボルにより復調用参照信号（DMRS)をキャリーし、そのうち、上記4個のOFDMシンボルは２組に分けられ、各組は２つの隣接するOFDMシンボルからなり、且つ上記２組のOFDMシンボルの間の距離は5個のOFDMシンボルよりも大きい。
【００３１】
図4A〜図4Eは、本実施例の方法によりDMRSを構成する時に、１つのPRB  pairにおける該DMRSの分布を示す図である。
【００３２】
本実施例の１つの実施方式では、該２組のOFDMシンボルの位置は、図4A及び図4Bに示すように、上記PRB  pairを構成する２つのタイムスロット（slot)の境界線に関して対称である。
【００３３】
そのうち、図4Aに示すように、第１組のOFDMシンボルは、１番目のslotにおける前の２つのOFDMシンボルであり、第２組のOFDMシンボルは、２番目のslotにおける後の２つのOFDMシンボルである。
【００３４】
そのうち、図4Bに示すように、第１組のOFDMシンボルは、１番目のslotにおける２番目及び３番目のOFDMシンボルであり、第２組のOFDMシンボルは、２番目のslotにおける５番目及び６番目のOFDMシンボルである。
【００３５】
本実施例のもう１つの実施方式では、該２組のOFDMシンボルの位置は、図4C〜図4Eに示すように、上記PRB  pairを構成する２つのタイムスロット（slot)の境界線に関して非対称である。
【００３６】
そのうち、図4Cに示すように、第１組のOFDMシンボルは、１番目のslotにおける２番目及び３番目のOFDMシンボルであり、第２組のOFDMシンボルは、２番目のslotにおける後の２つのOFDMシンボルである。
【００３７】
そのうち、図4Dに示すように、第１組のOFDMシンボルは、１番目のslotにおける３番目及び４番目のOFDMシンボルであり、第２組のOFDMシンボルは、２番目のslotにおける後の２つのOFDMシンボルである。
【００３８】
そのうち、図4Eに示すように、第１組のOFDMシンボルは、１番目のslotにおける４番目及び５番目のOFDMシンボルであり、第２組のOFDMシンボルは、２番目のslotにおける後の２つのOFDMシンボルである。
【００３９】
本実施例では、該DMRSの周波数領域上の位置が限定されず、１つの好適な実施例では、該DMRSの周波数領域上の位置が標準（規格）とは同じであり、例えば、１つ又は複数のポートに対応するDMRSは、コード分割（code  division）を利用して１つの物理リソースブロック対（PRB  pair)の周波数領域上の１番目、６番目及び１１番目のリソースエレメント（RE)を占め;又は、１つ又は複数のポートに対応するDMRSは、コード分割を利用して１つのPRB  pairの周波数領域上の２番目、７番目及び１２番目のREを占める。図4A〜図4Eに示すように、周波数領域上の１番目、６番目及び１１番目のREを占めるDMRSは、ポート7、8、11、13に対応し、周波数領域上の２番目、７番目、１２番目のREを占めるDMRSは、ポート9、10、12、14に対応する。或いは、周波数領域上の１番目、６番目及１１番目のREを占めるDMRSは、ポート9、10、12、14に対応し、周波数領域上の２番目、７番目、１２番目のREを占めるDMRSは、ポート7、8、11、13に対応する(図示せず）。もう１つの実施例では、該DMRSの周波数領域上の位置が標準とは異なっても良く、例えば、標準を基礎とした上で周波数領域の密度を下げても良く、例えば、周波数領域上の６組のDMRSから、周波数領域位置が同じである任意の２組を取り除き、又は、周波数領域上の６組のDMRSから、対角線の最も外側の２組を取り除き、又は、周波数領域上の６組のDMRSのうちから、３組をジグザグに取り除くことができる。具体的には、以下の実施例で詳細に説明する。
【００４０】
図5は、図4Cに示す本実施例のDMRSの分布及び図1に示す従来のDMRSの分布のシミュレーション結果を示す図である。図5から分かるように、従来の方法を採用して構成されたDMRSに比べ、本発明の実施例における方法により構成されたDMRSは、チャネル推定のパフォーマンスを顕著に向上させることができる。
【００４１】
本発明の実施例における方法により、LTEの高いバージョン(Release  12及びそれ以後のバージョン)においてDMRSに基づくチャネル推定のパフォーマンスを向上させることが可能である。
【実施例２】
【００４２】
本発明の実施例は更に復調用参照信号のマッピング方法を提供し、該方法は、実施例1に基づくDMRSの構成であり、即ち、実施例1の方法に基づいてDMRSを構成し、また、従来の標準と同じ方法でDMRSシーケンスを生成しても良いが、該DMRSシーケンスのマッピング方法は、従来の標準とは異なる。図6は、本実施例におけるDMRSのマッピング方法のフローチャートであり、図6に示すように、該方法は、下記のステップを含む。
【００４３】
ステップ601:LTEシステムにおける物理リソースブロック対の復調用参照信号を構成し；
そのうち、実施例1の方法を採用して該復調用参照信号を構成しても良く、また、その内容はここに援用されるため、ここでその記載を省略する。
【００４４】
ステップ602:
【数３６】
2016507958.tif 000038
に基づいて、構成された復調用参照信号に対してリソースマッピングを行い：
そのうち、
【数３７】
2016507958.tif 000039
であり、そのうち、lの値は、4個の整数であり、l′と一対一対応する。本実施例では、
【数３８】
2016507958.tif 000040
又は
【数３９】
2016507958.tif 000041
又は
【数４０】
2016507958.tif 000042
又は
【数４１】
2016507958.tif 000043
又は
【数４２】
2016507958.tif 000044
である。
【００４５】
そのうち、上述の公式における各シンボルは、従来の3GPP  TS36.211の6.10.3に定義されたものとは同じであるため、ここでは詳しい説明を省略する。例えば、αk,l(p)は、時間領域の順番号がlであり、周波数領域の順番号がkであるRE上でキャリーされるポートpの変調シンボルであり、rは、疑似ランダムシーケンスに基づいて生成されたDMRS変調シンボルシーケンス（具体的な生成方法については、TS36.211の6.10.3.1を参照する。)であり、NRBmax,DLは、下りバンド幅においてキャリー可能な最大RB数（LTEシステムでは、その値が110であり、具体的には、TS36.211の6.2.1を参照する。)であり、kは、DMRSが所在するREの周波数領域の順番号であり、lは、DMRSが所在するREの時間領域の順番号である。l′、k′及びm′は、中間変数である。wp(i)は、直交カバーコード（orthogonal  cover  code）シーケンスである。nPRBは、該DMRSが所在するPRB  pairの順番号である。NscRBは、各PRB  pairに含まれるサブキャリア数である。
【００４６】
そのうち、図4Aに示すDMRSの分布に対応して、
【数４３】
2016507958.tif 000045
であり、図4Bに示すDMRSの分布に対応して、
【数４４】
2016507958.tif 000046
であり、図4Cに示すDMRSの分布に対応して、
【数４５】
2016507958.tif 000047
であり、図4Dに示すDMRSの分布に対応して、
【数４６】
2016507958.tif 000048
であり、図4Eに示すDMRSの分布に対応して、
【数４７】
2016507958.tif 000049
である。
【００４７】
そのうち、wp(i)の具体的な値は、次の表（なお、この表は、3GPP標準TS36.211の表6.10.3.2-1に由来する。)を参照することができる。
【００４８】
【表１】
2016507958.tif 000050
実施例1の方法によりDMRSの構成を行い、そして、本実施例によりDMRSのマッピングを行うことで、LTEの高いバージョン(Release  12及びそれ以後のバージョン)においてDMRSに基づくチャネル推定のパフォーマンスを向上させることが可能である。
【実施例３】
【００４９】
本発明の実施例は更に復調用参照信号の構成方法を提供し、実施例1の方法との相違点は、本実施例の方法において、各PRB  pair中のDMRSパイロットの組数が6よりも小さいことにある。そのうち、各組のDMRSパイロットの図様は、２つのREからなり、また、この２つのREは、同一サブキャリアに位置し、且つ隣接する２つのOFDMシンボルを占める。
【００５０】
図7は、本実施例における復調用参照信号の構成方法のフローチャートであり、図7に示すように、該方法は、下記のステップを含む。
【００５１】
ステップ701:各物理リソースブロック対においてｎ組のDMRSを構成し、そのうち、ｎは６よりも小さく、各組のDMRSは、DMRSをキャリーする２つのREからなり、上記DMRSをキャリーする２つのREは、同一サブキャリアに位置し、且つ２つの隣接するOFDMシンボルを占める。１つの実施例では、１つ又は複数のポートに対応するDMRSは、コード分割を利用して、周波数領域上の１番目、６番目及び/又は１１番目のリソースエレメント（RE)を占め;又は、１つ又は複数のポートに対応するDMRSは、コード分割を利用して、周波数領域上の２番目、７番目及び/又は１２番目のREを占める。
【００５２】
本実施例では、DMRSの時間領域上の位置が限定されず、例えば、それは、図1に示す従来の標準におけるDMRSの時間領域位置に基づいても良く、図4A〜図4Eに示す本実施例におけるDMRSの時間領域位置に基づいても良い。便宜のため、図8に示す字母A〜Fを以て図1又は図4A〜図4Eに示す某ポート又は幾つかのポートに対応する６組のDMRSをそれぞれ示し、また、図1に示す従来の標準におけるDMRSの時間領域位置を例として本実施例の方法について説明を行う。
【００５３】
本実施例の１つの実施方式では、上述の６組のDMRSを４組まで減らすことができ、即ち、各PRB  pairにおいて４組のDMRSを構成し、好ましくは、上記４組のDMRSの時間領域上の密度及び位置を保ったまま（即ち、従来のDMRS図様の時間領域位置に基づいて、又は実施例1における各実施方式のDMRS図様の時間領域位置に基づいて）、上記４組のDMRSを、周波数領域上の３組の位置のうちの任意の２組の位置に構成する。即ち、周波数領域上の６組のDMRSから、周波数領域位置が同じである任意の２組、例えば、A組及びB組、又はC組及びD組、又はE組及びF組を取り除くとする。
【００５４】
図9A〜図9Eは、本実施方式の方法により構成されたDMRSを示す図である。
【００５５】
図9Aに示すように、該実施方式では、ポート7、8、11、13に対応するDMRSのA、B、C、Dの各組のDMRSの密度及び位置を保ったまま、ポート7、8、11、13に対応するDMRSのE組及びF組を取り除いたと同時に、ポート9、10、12、14に対応するDMRSのA、B、C、Dの各組のDMRSの密度及び位置を保ったまま、ポート9、10、12、14に対応するDMRSのE組及びF組を取り除いたとする。
【００５６】
図9Bに示すように、該実施方式では、ポート7、8、11、13に対応するDMRSのA、B、E、Fの各組のDMRSの密度及び位置を保ったまま、ポート7、8、11、13に対応するDMRSのC組及びD組を取り除いたと同時に、ポート9、10、12、14に対応するDMRSのA、B、E、Fの各組のDMRSの密度及び位置を保ったまま、ポート9、10、12、14に対応するDMRSのC組及びD組を取り除いたとする。
【００５７】
図9Cに示すように、該実施方式では、ポート7、8、11、13に対応するDMRSのC、D、E、Fの各組のDMRSの密度及び位置を保ったまま、ポート7、8、11、13に対応するDMRSのA組及びB組を取り除いたと同時に、ポート9、10、12、14に対応するDMRSのC、D、E、Fの各組のDMRSの密度及び位置を保ったまま、ポート9、10、12、14に対応するDMRSのA組及びB組を取り除いたとする。
【００５８】
図9Dに示すように、該実施方式では、ポート7、8、11、13に対応するDMRSのA、B、C、Dの各組のDMRSの密度及び位置を保ったまま、ポート7、8、11、13に対応するDMRSのE組及びF組を取り除いたと同時に、ポート9、10、12、14に対応するDMRSのC、D、E、Fの各組のDMRSの密度及び位置を保ったまま、ポート9、10、12、14に対応するDMRSのA組及びB組を取り除いたとする。
【００５９】
図9Eに示すように、該実施方式では、ポート7、8、11、13に対応するDMRSのC、D、E、Fの各組のDMRSの密度及び位置を保ったまま、ポート7、8、11、13に対応するDMRSのA組及びB組を取り除いたと同時に、ポート9、10、12、14に対応するDMRSのA、B、C、Dの各組のDMRSの密度及び位置を保ったまま、ポート9、10、12、14に対応するDMRSのE組及びF組を取り除いたとする。
【００６０】
本実施例のもう１つの実施方式では、上述の６組のDMRSを４組まで減らすことができ、即ち、各PRB  pairにおいて４組のDMRSを構成し、また、上記４組のDMRSの時間領域上の密度及び位置を保ったまま（即ち、従来のDMRS図様の時間領域位置に基づいて、又は実施例1における各実施方式のDMRS図様の時間領域位置に基づいて）、好ましくは、上記４組のDMRSのうちの２組のDMRSを、周波数領域上の３組の位置のうちの中間の１組の位置に構成し；上記４組のDMRSのうちの他の２組を、周波数領域上の３組の位置のうちの第１組及び第３組の位置にそれぞれ構成し、且つ、第１組の位置に構成されるDMRSと、第３組の位置に構成されるDMRSとが、上記PRB  pairの異なるタイムスロットに位置するように構成する。即ち、周波数領域上の６組のDMRSのうちから、対角線の最も外側の２組、例えば、A組及びF組、又はB組及びE組を取り除いたとする。
【００６１】
図10A〜図10Dは、本実施方式の方法により構成されたDMRSを示す図である。
【００６２】
図10Aに示すように、該実施方式では、ポート7、8、11、13に対応するDMRSのB、C、D、Eの各組のDMRSの密度及び位置を保ったまま、ポート7、8、11、13に対応するDMRSのA組及びF組を取り除いたと同時に、ポート9、10、12、14に対応するDMRSのA、C、D、Fの各組のDMRSの密度及び位置を保ったまま、ポート9、10、12、14に対応するDMRSのB組及びE組を取り除いたとする。
【００６３】
図10Bに示すように、該実施方式では、ポート7、8、11、13に対応するDMRSのA、C、D、Fの各組のDMRSの密度及び位置を保ったまま、ポート7、8、11、13に対応するDMRSのB組及びE組を取り除いたと同時に、ポート9、10、12、14に対応するDMRSのB、C、D、Eの各組のDMRSの密度及び位置を保ったまま、ポート9、10、12、14に対応するDMRSのA組及びF組を取り除いたとする。
【００６４】
図10Cに示すように、該実施方式では、ポート7、8、11、13に対応するDMRSのB、C、D、Eの各組のDMRSの密度及び位置を保ったまま、ポート7、8、11、13に対応するDMRSのA組及びF組を取り除いたと同時に、ポート9、10、12、14に対応するDMRSのB、C、D、Eの各組のDMRSの密度及び位置を保ったまま、ポート9、10、12、14に対応するDMRSのA組及びF組を取り除いたとする。
【００６５】
図10Dに示すように、該実施方式では、ポート7、8、11、13に対応するDMRSのA、C、D、Fの各組のDMRSの密度及び位置を保ったまま、ポート7、8、11、13に対応するDMRSのB組及びE組を取り除いたと同時に、ポート9、10、12、14に対応するDMRSのB、C、D、Fの各組のDMRSの密度及び位置を保ったまま、ポート9、10、12、14に対応するDMRSのB組及びE組を取り除いたとする。
【００６６】
本実施例のもう１つの実施方式では、上述の６組のDMRSを３組まで減らすことができ、即ち、各PRB  pairにおいて３組のDMRSを構成し、また、上記３組のDMRSの時間領域上の密度及び位置を保ったまま（即ち、従来のDMRS図様の時間領域位置に基づいて、又は実施例1の各実施方式におけるDMRS図様の時間領域位置に基づいて）、好ましくは、上記３組のDMRSを周波数領域上の３組の位置にそれぞれ構成し、且つ、周波数領域上の第１組の位置に構成されるDMRSと、周波数領域上の第３組の位置に構成されるDMRSとが、上記PRB  pairの同じタイムスロットに位置するように構成し、周波数領域上の第２組の位置に構成されるDMRSと、周波数領域上の第１組及び第３組の位置に構成されるDMRSとが、上記PRB  pairの異なるタイムスロットに位置するように構成する。即ち、周波数領域上の６組のDMRSのうちから、３組、例えば、A組、D組及びE組、又はB組、C組及びF組をジグザグに取り除いたとする。
【００６７】
図11A〜図11Dは、本実施方式の方法により構成されたDMRSを示す図である。
【００６８】
図11Aに示すように、該実施方式では、ポート7、8、11、13に対応するDMRSのA、D、Eの各組のDMRSの密度及び位置を保ったまま、ポート7、8、11、13に対応するDMRSのB組、C組及びF組を取り除いたと同時に、ポート9、10、12、14に対応するDMRSのA、D、Eの各組のDMRSの密度及び位置を保ったまま、ポート9、10、12、14に対応するDMRSのB組、C組及びF組を取り除いたとする。
【００６９】
図11Bに示すように、該実施方式では、ポート7、8、11、13に対応するDMRSのB、C、Fの各組のDMRSの密度及び位置を保ったまま、ポート7、8、11、13に対応するDMRSのA組、D組及びE組を取り除いたと同時に、ポート9、10、12、14に対応するDMRSのB、C、Fの各組のDMRSの密度及び位置を保ったまま、ポート9、10、12、14に対応するDMRSのA組、D組及びE組を取り除いたとする。
【００７０】
図11Cに示すように、該実施方式では、ポート7、8、11、13に対応するDMRSのB、C、Fの各組のDMRSの密度及び位置を保ったまま、ポート7、8、11、13に対応するDMRSのA組、D組及びE組を取り除いたと同時に、ポート9、10、12、14に対応するDMRSのA、D、Eの各組のDMRSの密度及び位置を保ったまま、ポート9、10、12、14に対応するDMRSのB組、C組及びF組を取り除いたとする。
【００７１】
図11Dに示すように、該実施方式では、ポート7、8、11、13に対応するDMRSのA、D、Eの各組のDMRSの密度及び位置を保ったまま、ポート7、8、11、13に対応するDMRSのB組、C組及びF組を取り除いたと同時に、ポート9、10、12、14に対応するDMRSのB、C、Fの各組のDMRSの密度及び位置を保ったまま、ポート9、10、12、14に対応するDMRSのA組、D組及びE組を取り除いたとする。
【００７２】
上述の実施方式では、従来のDMRSの構成方法及び図様のみに基づく場合を例として、本実施例について説明したが、図から分かるように、上述のDMRSの構成方法では、時間領域上の４個のOFDMシンボルがそれぞれ１つのPRB  pairの２つのタイムスロットに位置し、且つ二つの隣接するOFDMが１組を構成し、上記２組のOFDMシンボルの間の距離が5個のOFDMシンボルに等しく、これは、従来のDMRSの構成図様に対応する。しかし、本実施例は、これに限定されず、上述のように、本実施例は、実施例1のDMRSの構成方法及び構成図様に基づいても良い。この場合、該実施方式では、上述のような実施方式との相違点は、上記２組のOFDMシンボルの間の距離が5個のOFDMシンボルよりも大きいことにあり、これは、上述の実施例1におけるDMRS図様に対応する。他の実施例では、上記２組のOFDMシンボルの間の距離は5個のOFDMシンボルよりも小さくなっても良く、例えば、該２組のOFDMシンボルは、同一タイムスロットに位置し、且つその間の間隔は、1個のOFDMシンボルである。
【００７３】
本発明の実施例の他の実施方式では、上述のDMRSの構成方法の他に、周波数領域の密度を下げること又は時間領域の密度を下げることによるDMRSの構成方法を採用しても良い。
【００７４】
例えば、周波数領域の密度を下げることにより、図12A〜図12Dに示すように、周波数領域の密度を下げた後のパイロット図様を生成することができる。そのうち、図12A〜図12Dに示す図様の中で、周波数領域の順番号の小から大への並べ替えは、上から下への順であっても良く、下から上への順であっても良く、ここでは、それについて限定しない。また、図12A〜図12Dに示す図様も、従来のDMRSの構成図様に基づく時間領域位置であるが、本発明の実施例は、これに限定されない。図12A〜図12Dは、実施例1のDMRSの構成図様に基づいて時間領域位置を変えることによるものであっても良い。
【００７５】
また、例えば、時間領域の密度を下げることにより、図13A〜図13Bに示すように、時間領域の密度を下げた後のパイロット図様を生成することもできる。そのうち、図13A〜図13Bに示すDMRSの図様の中で、時間領域上では、２つの隣接するOFDMシンボルのみが占められ、且つこの２つの隣接するOFDMシンボルが１つのPRB  pairにおける１つのタイムスロットに位置する。もちろん、本実施例はこれに限定されず、この２つの隣接するOFDMシンボルは１つのPRB  pairにおける２つのタイムスロットに位置しても良く、例えば、この２つのタイムスロットの各タイムスロットには１つのOFDMシンボルがあり、且つこの２つのOFDMシンボルが隣接する。言い換えると、１番目のタイムスロットの最後の１つのOFDMシンボルと、２番目のタイムスロットの１番目のOFDMシンボルとは隣接する。
【００７６】
NCTの１つの代表的な応用シナリオであるSmall  cellでは、チャネル伝送環境がMacro  cellに比べて良くなる可能性があり、例えば、信号対雑音比が高くなり、チャネルの時変が遅くなるなどの可能性がある。このような場合、本実施例の方法により、一つのPRB  pairにおけるパイロットの密度を適切に下げることで、ユーザのデータをキャリーするためのRE数を増やすことができ、これにより、伝送のスループットを向上させることができる。
【実施例４】
【００７７】
本発明の実施例は更に復調用参照信号のマッピング方法を提供し、該方法は、実施例3に基づくDMRSの構成であり、即ち、実施例3の方法によりDMRSを構成し、また、従来の標準と同じ方法でDMRSシーケンスを生成しても良いが、該DMRSシーケンスのマッピング方法は従来の標準とは異なる。図14は、本実施例のDMRSのマッピング方法のフローチャートであり、図14に示すように、該方法は、下記のステップを含む。
【００７８】
ステップ1401:LTEシステムにおける物理リソースブロック対の復調用参照信号を構成し；
そのうち、実施例3の方法を採用して該復調用参照信号を構成することができる。また、その内容はここに援用されるため、ここでその記載を省略する。
【００７９】
ステップ1402:
【数４７】
2016507958.tif 000051
に基づいて、構成された復調用参照信号に対してリソースマッピングを行い：
そのうち、
【数４８】
2016507958.tif 000052
であり、そのうち、lの値は、４個の整数であり、且つｌ′と一対一対応するが、ここでは、それについて限定しない。
【００８０】
従来の標準に従う場合、lの値は、
【数４９】
2016507958.tif 000053
であり、実施例3に基づく場合、lの値は、
【数５０】
2016507958.tif 000054
又は
【数５１】
2016507958.tif 000055
又は
【数５２】
2016507958.tif 000056
又は
【数５３】
2016507958.tif 000057
又は
【数５４】
2016507958.tif 000058
である。
【００８１】
そのうち、各パラメータの意味は、従来の3GPP  TS36.211の6.10.3に定義された各パラメータの意味とは同じであるため、ここでは詳しい説明を省略する。例えば、αk,l(p)は、時間領域の順番号がlであり、周波数領域の順番号がkであるRE上でキャリーされるポートpの変調シンボルであり、rは、疑似ランダムシーケンスに基づいて生成されたDMRS変調シンボルシーケンス（具体的な生成方法については、TS36.211の6.10.3.1を参照する。)であり、NRBmax,DLは、下りバンド幅においてキャリー可能な最大RB数（LTEシステムでは、その値が110であり、具体的には、TS36.211の6.2.1を参照する。)であり、kは、DMRSが所在するREの周波数領域の順番号であり、lは、DMRSが所在するREの時間領域の順番号である。l′、k′及びm′は、中間変数である。wp(i)は、直交カバーコード（orthogonal  cover  code）シーケンスである。nPRBは、該DMRSが所在するPRB  pairの順番号である。NscRBは、各PRB  pairに含まれるサブキャリア数である。
【００８２】
後述の公式では、m′は、１つの物理リソースブロック中で、DMRS  REをキャリーするサブキャリアの相対位置である。
【００８３】
図9Aに対応して、周波数領域の順番号の上から下への順が昇順である場合、m′=0,lであり、周波数領域の順番号の上から下への順が降順である場合、m′=1,2である。
【００８４】
図9Bに対応して、m′=0,2である。
【００８５】
図9Cに対応して、周波数領域の順番号の上から下への順が昇順である場合、m′=1,2であり、周波数領域の順番号の上から下への順が降順である場合、m′=0,lである。
【００８６】
図9Dに対応して、周波数領域の順番号の上から下への順が昇順である場合、
【数５５】
2016507958.tif 000059
であり、周波数領域の順番号の上から下への順が降順である場合、
【数５６】
2016507958.tif 000060
である。
【００８７】
図9Eに対応して、周波数領域の順番号の上から下への順が昇順である場合、
【数５７】
2016507958.tif 000061
であり、周波数領域の順番号の上から下への順が降順である場合、
【数５８】
2016507958.tif 000062
である。
【００８８】
図10Aに対応して、周波数領域の順番号の上から下への順が昇順である場合、
【数５９】
2016507958.tif 000063
であり、周波数領域の順番号の上から下への順が降順である場合、
【数６０】
2016507958.tif 000064
である。
【００８９】
図10Bに対応して、周波数領域の順番号の上から下への順が昇順である場合、
【数６１】
2016507958.tif 000065
であり、周波数領域の順番号の上から下への順が降順である場合、
【数６２】
2016507958.tif 000066
である。
【００９０】
図10Cに対応して、周波数領域の順番号の上から下への順が昇順である場合、
【数６３】
2016507958.tif 000067
であり、周波数領域の順番号の上から下への順が降順である場合、
【数６４】
2016507958.tif 000068
である。
【００９１】
図10Dに対応して、周波数領域の順番号の上から下への順が昇順である場合、
【数６５】
2016507958.tif 000069
であり、周波数領域の順番号の上から下への順が降順である場合、
【数６６】
2016507958.tif 000070
である。
【００９２】
図11Aに対応して、
【数６７】
2016507958.tif 000071
である。
【００９３】
図11Bに対応して、
【数６８】
2016507958.tif 000072
である。
【００９４】
図11Cに対応して、
【数６９】
2016507958.tif 000073
である。
【００９５】
図11Dに対応して、
【数７０】
2016507958.tif 000074
である。
【００９６】
そのうち、wp(i)の具体的な値は、次の表（なお、この表は、3GPP標準TS36.211の表6.10.3.2-1に由来する。)を参照することができる。
【００９７】
【表２】
2016507958.tif 000075
本実施例のマッピング方法をより明確にするために、以下、ポート8を例とし、２つPRB  pairの24個の位置のパイロットシーケンス及びシーケンスwp(i)がそれぞれ次の２つの表に示されるようであるとする。
【００９８】
パイロットシーケンスは、次の表に示される。
【００９９】
【表３】
2016507958.tif 000076
そのうち、all及びa21は、図8に示す字母Aに対応し、a31及びa41は、図8に示す字母Bに対応し、al2及びa22は、図8に示す字母Cに対応し、a32及びa42は、図8に示字母Dに対応し、al3及びa23は、図8に示す字母Eに対応し、a33及びa43は、図8に示す字母Fに対応する。これを以て類推する。また、表中では、前の３行は１つのPRB  pairに対応し、後の３行はもう１つのPRB  pairに対応する。
【０１００】
また、シーケンスwp(i)は、次の表に示される。
【０１０１】
【表４】
2016507958.tif 000077
そのうち、シーケンスwp(i)は、パイロットシーケンスと一対一対応するため、ここでは詳しい説明を省略する。
【０１０２】
本実施例の方法により、図10Aに示す図様に従ってDMRSを構成した後に、該RBリソース上の16個の位置におけるパイロットシーケンス及びスペクトラム拡散コードはそれぞれ次のように示される。
【０１０３】
パイロットシーケンスは、次の表に示される。
【０１０４】
【表５】
2016507958.tif 000078
また、シーケンスwp(i)は、次の表に示される。
【０１０５】
【表６】
2016507958.tif 000079
上述のように、実施例3の方法によりDMRSを構成し、そして、従来のパイロットシーケンスの生成方法を用いてDMRSを生成し、また、本実施例のマッピング方法により該DMRSに対してマッピングを行った後に、それ相応の空き位置におけるREは、データ伝送のために用いられ得る。
【０１０６】
実施例3の方法によりDMRSの構成を行い、また、本実施例の方法によりDMRSのマッピングを行うことで、LTEの高いバージョン(Release  12及びそれ以後のバージョン)におけるデータのスループットを向上させることが可能である。
【０１０７】
本発明の実施例は更に基地局を次の実施例5に記載のように提供し、該基地局の問題を解決する原理が実施例1の方法と類似するので、その具体的な実施は、実施例1の方法の実施を参照することができる。そのため、ここでは重複説明を省略する。
【実施例５】
【０１０８】
本発明の実施例は更に復調用参照信号を構成するための基地局を提供し、図15は該基地局の構成を示す図であり、図15に示すように、該基地局は、下記のユニットを含む。
【０１０９】
構成ユニット151：１つの物理リソースブロック対（PRB  pair)において、4個の直交周波数分割多重(OFDM)シンボルにより復調用参照信号（DMRS)キャリーするように構成し、そのうち、上記4個のOFDMシンボルは２組に分かられ、各組は２つの隣接するOFDMシンボルからなり、且つ上記２組のOFDMシンボルの間の距離は、5個のOFDMシンボルよりも大きい。
【０１１０】
１つの実施例では、上記２組のOFDMシンボルの位置は、上記PRB  pairを構成する２つのタイムスロット（slot)の境界線に関して対称である。
【０１１１】
１つの実施方式では、第１組のOFDMシンボルは、１番目のslotにおける前の２つのOFDMシンボルであり、第２組のOFDMシンボルは、２番目のslotにおける後の２つのOFDMシンボルである。
【０１１２】
もう１つの実施方式では、第１組のOFDMシンボルは、１番目のslotにおける２番目及び３番目のOFDMシンボルであり、第２組のOFDMシンボルは、２番目のslotにおける５番目及び６番目のOFDMシンボルである。
【０１１３】
もう１つの実施例では、上記２組のOFDMシンボルの位置は、上記PRB  pairを構成する２つのタイムスロット（slot)の境界線に関して非対称である。
【０１１４】
１つの実施方式では、第１組のOFDMシンボルは、１番目のslotにおける２番目及び３番目のOFDMシンボルであり、第２組のOFDMシンボルは、２番目のslotにおける後の２つのOFDMシンボルである。
【０１１５】
もう１つの実施方式では、第１組のOFDMシンボルは、１番目のslotにおける３番目及び４番目のOFDMシンボルであり、第２組のOFDMシンボルは、２番目のslotにおける後の２つのOFDMシンボルである。
【０１１６】
もう１つの実施方式では、第１組のOFDMシンボルは、１番目のslotにおける４番目及び５番目のOFDMシンボルであり、第２組のOFDMシンボルは、２番目のslotにおける後の２つのOFDMシンボルである。
【０１１７】
本実施例では、１つ又は複数のポートに対応するDMRSはコード分割を用いて周波数領域上の１番目、６番目及び１１番目のリソースエレメント（RE)を占め;又は、１つ又は複数のポートに対応するDMRSはコード分割を用いて周波数領域上の２番目、７番目及び第１２番目のREを占める。
【０１１８】
本発明の実施例における基地局によりDMRSを構成することで、LTEの高いバージョン(Release  12及びそれ以後のバージョン)においてDMRSに基づくチャネル推定のパフォーマンスを向上させることが可能である。
【０１１９】
本発明の実施例は更に基地局を次の実施例6に記載のように提供し、該基地局の問題を解決する原理が実施例2の方法と類似するので、その具体的な実施は実施例2の方法の実施を参照することができる。そのため、ここでは、重複説明を省略する。
【実施例６】
【０１２０】
本発明の実施例は更に復調用参照信号のマッピングを行うための基地局を提供し、図16は該基地局の構成を示す図であり、図16に示すように、該基地局は、下記のユニットを含む。
【０１２１】
構成ユニット161：実施例1に記載の復調用参照信号の構成方法により、LTEシステムにおける物理リソースブロック対の復調用参照信号を構成し；
マッピングユニット162：
【数７１】
2016507958.tif 000080
に基づいて、構成された復調用参照信号に対してリソースマッピングを行い、
そのうち、
【数７２】
2016507958.tif 000081
であり、そのうち、lの値は、4個の整数であり、l′と一対一対応する。本実施例では、
【数７３】
2016507958.tif 000082
又は
【数７４】
2016507958.tif 000083
又は
【数７５】
2016507958.tif 000084
又は
【数７６】
2016507958.tif 000085
又は
【数７７】
2016507958.tif 000086
である。
【０１２２】
そのうち、各パラメータの意味は、従来の3GPP  TS36.211の6.10.3に定義された各パラメータの意味とは同じであるため、ここでは詳しい説明を省略する。
【０１２３】
本実施例の基地局によりDMRSのマッピングを行うことで、LTEの高いバージョン(Release  12及び以後バージョン)においてDMRSに基づくチャネル推定のパフォーマンスを向上させることが可能である。
【０１２４】
本発明の実施例は更に基地局を次の実施例7に記載のように提供し、該基地局の問題を解決する原理が実施例3の方法と類似するので、その具体的な実施は実施例3の方法の実施を参照することができる。そのため、ここでは重複説明を省略する。
【実施例７】
【０１２５】
本発明の実施例は更に復調用参照信号を構成するための基地局を提供し、図17は該基地局の構成を示す図であり、図17に示すように、該基地局は、下記のユニットを含む。
【０１２６】
構成ユニット171：各物理リソースブロック対においてｎ組のDMRSを構成し、そのうち、ｎは６よりも小さく、各組のDMRSはDMRSをキャリーする２つのREからなり、上記DMRSをキャリーする２つのREは、同一サブキャリアに位置し、且つ２つの隣接するOFDMシンボルを占める。
【０１２７】
そのうち、１つ又は複数のポートに対応するDMRSは、コード分割を用いて周波数領域上の１番目、６番目及び１１番目のリソースエレメント（RE)を占め;又は、１つ又は複数のポートに対応するDMRSは、コード分割を用いて周波数領域上の２番目、７番目及び第１２番目のREを占める。
【０１２８】
１つの実施例では、各物理リソースブロック対において４組のDMRSを構成する場合、上記構成ユニット171は、具体的に、上記４組のDMRSの時間領域上の密度及び位置を保ったまま、上記４組のDMRSを、周波数領域上の３組の位置のうちの任意の２組の位置に構成するように用いられる。
【０１２９】
もう１つの実施例では、各物理リソースブロック対において４組のDMRSを構成する場合、上記構成ユニット171は、具体的に、上記４組のDMRSの時間領域上の密度及び位置を保ったまま、上記の４組のDMRSのうちの２組のDMRSを、周波数領域上の３組の位置のうちの中間の１組の位置に構成し、上記４組のDMRSのうちの他の２組を、それぞれ周波数領域上の３組の位置のうちの第１組及び第３組の位置に構成し、且つ、第１組の位置に構成されるDMRSと、第３組の位置に構成されるDMRSとが、前記PRB  pairの異なるタイムスロットに位置するように構成するように用いられる。
【０１３０】
もう１つの実施例では、各物理リソースブロック対において３組のDMRSを構成する場合、上記構成ユニット171は、具体的に、上記３組のDMRSの時間領域上の密度及び位置を保ったまま、上記３組のDMRSを、それぞれ周波数領域上の３組の位置に構成し、且つ周波数領域上の第１組の位置に構成されるDMRSと、周波数領域上の第３組の位置に構成されるDMRSとが、上記PRB  pairの同じタイムスロットに位置するように構成し、周波数領域上の第２組の位置に構成されるDMRSと、周波数領域上の第１組及び第３組の位置に構成されるDMRSとが、前記PRB  pairの異なるタイムスロットに位置するように構成するように用いられる。
【０１３１】
本実施例では、１つのPRB  pairにおいて、4個の直交周波数分割多重（OFDM)シンボルにより復調用参照信号（DMRS)をキャリーし、そのうち、上記4個のOFDMシンボルは２組に分けられ、各組は２つの隣接するOFDMシンボルからなる。
【０１３２】
もう１つの実施例では、DMRSを、図12A〜図12Dに示すように周波数領域の密度を下げた後のパイロット図様のように構成しても良く、又は図13A〜図13Bに示すように時間領域の密度を下げた後のパイロット図様のように構成しても良い。
【０１３３】
本発明の実施例における基地局によりDMRSを構成することで、LTEの高いバージョン(Release  12及びそれ以後のバージョン)においてDMRSに基づくチャネル推定のパフォーマンスを向上させることが可能である。
【実施例８】
【０１３４】
本発明の実施例は更に復調用参照信号のマッピングを行うための基地局を提供し、図18は該基地局の構成を示す図であり、図18に示すように、該基地局は、下記のユニットを含む。
【０１３５】
構成ユニット181：実施例3に記載の復調用参照信号の構成方法によりLTEシステムにおける物理リソースブロック対の復調用参照信号を構成し；
マッピングユニット182：
【数７８】
2016507958.tif 000087
に基づいて、構成された復調用参照信号に対してリソースマッピングを行い、
そのうち、ｌの値は、４個の整数であり、l′と一対一対応する。従来の標準に従う場合、
【数７９】
2016507958.tif 000088
であり、実施例3に基づく場合、
【数８０】
2016507958.tif 000089
又は
【数８１】
2016507958.tif 000090
又は
【数８２】
2016507958.tif 000091
又は
【数８３】
2016507958.tif 000092
又は
【数８４】
2016507958.tif 000093
である。
【０１３６】
そのうち、各パラメータの意味は、従来の3GPP  TS36.211の6.10.3に定義された各パラメータの意味とは同じであるため、ここでは詳しい説明を省略する。
【０１３７】
そのうち、mの値は次の通りである。
【０１３８】
図9Aに対応して、周波数領域の順番号の上から下への順が昇順である場合、m′=0,lであり、周波数領域の順番号の上から下への順が降順である場合、m′=1,2である。
【０１３９】
図9Bに対応して、m′=0,2である。
【０１４０】
図9Cに対応して、周波数領域の順番号の上から下への順が昇順である場合、m′=1,2であり、周波数領域の順番号の上から下への順が降順である場合、m′=0,1である。
【０１４１】
図9Dに対応して、周波数領域の順番号の上から下への順が昇順である場合、
【数８５】
2016507958.tif 000094
であり、周波数領域の順番号の上から下への順が降順である場合、
【数８６】
2016507958.tif 000095
である。
【０１４２】
図9Eに対応して、周波数領域の順番号の上から下への順が昇順である場合、
【数８７】
2016507958.tif 000096
であり、周波数領域の順番号の上から下への順が降順である場合、
【数８８】
2016507958.tif 000097
である。
【０１４３】
図10Aに対応して、周波数領域の順番号の上から下への順が昇順である場合、
【数８９】
2016507958.tif 000098
であり、周波数領域の順番号の上から下への順が降順である場合、
【数９０】
2016507958.tif 000099
である。
【０１４４】
図10Bに対応して、周波数領域の順番号の上から下への順が昇順である場合、
【数９１】
2016507958.tif 000100
であり、周波数領域の順番号の上から下への順が降順である場合、
【数９２】
2016507958.tif 000101
である。
【０１４５】
図10Cに対応して、周波数領域の順番号の上から下への順が昇順である場合、
【数９３】
2016507958.tif 000102
であり、周波数領域の順番号の上から下への順が降順である場合、
【数９４】
2016507958.tif 000103
である。
【０１４６】
図10Dに対応して、周波数領域の順番号の上から下への順が昇順である場合、
【数９５】
2016507958.tif 000104
であり、周波数領域の順番号の上から下への順が降順である場合、
【数９６】
2016507958.tif 000105
である。
【０１４７】
図11Aに対応して、
【数９７】
2016507958.tif 000106
である。
【０１４８】
図11Bに対応して、
【数９８】
2016507958.tif 000107
である。
【０１４９】
図11Cに対応して、
【数９９】
2016507958.tif 000108
である。
【０１５０】
図11Dに対応して、
【数１００】
2016507958.tif 000109
である。
【０１５１】
本実施例の基地局によりDMRSのマッピングを行うことで、LTEの高いバージョン(Release  12及び以後バージョン)におけるデータスループットを向上させることが可能である。
【実施例９】
【０１５２】
本発明の実施例は更にチャネル推定方法を提供する。図19は該方法のフローチャートであり、図19に示すように、該方法は、下記のステップを含む。
【０１５３】
ステップ1901:UEが、実施例1又は実施例3で構成されたDMRSの位置に基づいて、受信信号からDMRSを抽出し;
１つの実施例では、上記DMRSが基地局により、実施例1の方法に基づいて構成され、実施例2の方法に基づいて、対応する物理リソースブロック対の位置にマッピングされ、そして、送信されたものである。もう１つの実施例では、上記DMRSが、基地局により、実施例3の方法に基づいて構成され、従来の標準における方法又は実施例4の方法に基づいて、対応する物理リソースブロック対の位置にマッピングされ、そして、送信されたものである。これにより、該UEは、それ相応の位置から自分のDMRSを抽出することができる。
【０１５４】
ステップ1902:上記UEが、基地局がDMRSに対して行った構成に基づいて、DMRSシーケンスを生成し；
そのうち、該UEは、従来の標準における方法によって該DMRSシーケンスを生成しても良いので、ここでは詳しい説明を省略する。
【０１５５】
ステップ1903:上記UEが、抽出したDMRS及び生成したDMRSシーケンスに基づいて、上記受信信号が伝送中において経たチャネルに対してチャネル推定を行う。
【０１５６】
そのうち、該UEは、受信したDMRS及び自分で（ローカルに）生成したDMRSシーケンスを用いて、受信信号が経たチャネルに対してチャネル推定を行うことができる。本実施例では、具体的なチャネル推定方法について限定せず、LSアルゴリズム、MMSEアルゴリズム、DFTアルゴリズム、又は各種の補間アルゴリズムなどを採用しても良い。
【０１５７】
本実施例の方法により、チャネル推定のパフォーマンスを向上させることが可能である。
【０１５８】
本発明の実施例は更にUEを次の実施例10に記載のように提供し、該UEの問題を解決する原理が実施例9の方法と類似するので、その具体の実施は、実施例9の方法の実施を参照することができる。そのため、ここでは重複説明を省略する。
【実施例１０】
【０１５９】
本発明の実施例は更にUEを提供する。図20は該UEの構成を示す図であり、図20に示すように、該UEは、下記のユニットを含む。
【０１６０】
抽出ユニット201：実施例1又は実施例3で構成されたDMRSの位置に基づいて、受信信号からDMRSを抽出し;
生成ユニット202：基地局がDMRSに対して行った構成に基づいて、DMRSシーケンスを生成し；
チャネル推定ユニット203：抽出されたDMRS及び生成されたDMRSシーケンスを用いて、上記受信信号が伝送中において経たチャネルに対してチャネル推定を行う。
【０１６１】
本実施例のUEにより、チャネル推定のパフォーマンスを向上させることが可能である。
【０１６２】
本発明の実施例は更に通信システムを提供し、前記通信システムは実施例5〜8に記載の基地局及び実施例10に記載のUEを含む。
【０１６３】
本発明の実施例は更にコンピュータ読み取り可能なプログラムを提供し、そのうち、基地局中で該プログラムを実行する時に、該プログラムは、コンピュータに、上記基地局中で実施例1、3に記載の復調用参照信号の構成方法又は実施例2、4に記載の復調用参照信号のマッピング方法を実行させる。
【０１６４】
本発明の実施例は更にコンピュータ読み取り可能なプログラムを記憶した記憶媒体を提供し、そのうち、該コンピュータ読み取り可能なプログラムは、コンピュータに、基地局中で実施例1、3に記載の復調用参照信号の構成方法又は実施例2、4に記載の復調用参照信号のマッピング方法を実行させる。
【０１６５】
本発明の実施例は更にコンピュータ読み取り可能なプログラムを提供し、そのうち、端末装置中で該プログラムを実行する時に、該プログラムは、コンピュータに、前記端末装置中で実施例9に記載のチャネル推定方法を実行させる。
【０１６６】
本発明の実施例は更にコンピュータ読み取り可能なプログラムを記憶した記憶媒体を提供し、そのうち、該コンピュータ読み取り可能なプログラムは、コンピュータに、端末装置中で実施例9に記載のチャネル推定方法を実行させる。
【０１６７】
本発明の以上の装置及び方法は、ハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に上述のプログラムを記憶した記憶媒体、例えば、ハードディスク、磁気ディスク、光ハードディスク、DVD、flashメモリなどにも関する。
【０１６８】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2016507958.tif 000145
【図２】
2016507958.tif 000146
【図３】
2016507958.tif 000147
【図４Ａ】
2016507958.tif 000148
【図４Ｂ】
2016507958.tif 000149
【図４Ｃ】
2016507958.tif 000150
【図４Ｄ】
2016507958.tif 000151
【図４Ｅ】
2016507958.tif 000152
【図５】
2016507958.tif 000153
【図６】
2016507958.tif 000154
【図７】
2016507958.tif 000155
【図８】
2016507958.tif 000156
【図９Ａ】
2016507958.tif 000157
【図９Ｂ】
2016507958.tif 000158
【図９Ｃ】
2016507958.tif 000159
【図９Ｄ】
2016507958.tif 000160
【図９Ｅ】
2016507958.tif 000161
【図１０Ａ】
2016507958.tif 000162
【図１０Ｂ】
2016507958.tif 000163
【図１０Ｃ】
2016507958.tif 000164
【図１０Ｄ】
2016507958.tif 000165
【図１１Ａ】
2016507958.tif 000166
【図１１Ｂ】
2016507958.tif 000167
【図１１Ｃ】
2016507958.tif 000168
【図１１Ｄ】
2016507958.tif 000169
【図１２Ａ】
2016507958.tif 000170
【図１２Ｂ】
2016507958.tif 000171
【図１２Ｃ】
2016507958.tif 000172
【図１２Ｄ】
2016507958.tif 000173
【図１３】
2016507958.tif 000174
【図１４】
2016507958.tif 000175
【図１５】
2016507958.tif 000176
【図１６】
2016507958.tif 000177
【図１７】
2016507958.tif 000178
【図１８】
2016507958.tif 000179
【図１９】
2016507958.tif 000180
【図２０】
2016507958.tif 000181
【国際調査報告】
2016507958.tif 000182
2016507958.tif 000183
2016507958.tif 000184
2016507958.tif 000185
2016507958.tif 000186
2016507958.tif 000187